(57)【要約】【課題】  タイトフレーム等の屋根板取付け具を固定するための補助金具であって、下地材が木製である場合でも強固に固定可能にするとともに、勾配が急な場合でも充分な固定強度を得られるようにする補助金具の提供。【解決手段】  屋根板取付け具１３の一部に上面側から被さる押え部２２と、該押え部から延設されて、上記屋根板取付け具１３を固定する下地材１２上に固定される固定部２４とを、金属板を折曲して一体に形成した屋根板取付け具用補助金具２１。【選択図】    図２
2006057274.tif 000002
【特許請求の範囲】
【請求項１】
屋根板取付け具の一部に上面側から被さる押え部と、該押え部から延設されて、上記屋根板取付け具を固定する下地材上に固定される固定部とを、金属板を折曲して一体に形成した
屋根板取付け具用補助金具。
【請求項２】
前記固定部を、屋根の勾配方向の両側に設けた
請求項１に記載の屋根板取付け具用補助具。
【請求項３】
前記屋根板取付け具の一部が、屋根板取付け具における下端の水平な固定片から斜め上又は垂直に立ち上がる立ち上がり部の基部又はその近傍である
請求項１又は２に記載の屋根板取付け具用補助金具。
【請求項４】
前記押え部と固定部を連結する側板部に、上記押え部又はこれを形成する部位に対向して屋根板取付け具の一部を挟み込む規制片を設けた
請求項１から請求項３のうちのいずれか一項に記載の屋根板取付け具用補助具。
【請求項５】
前記屋根板取付け具用補助金具を用いて構成した
屋根構造。
【発明の詳細な説明】
【技術分野】
【０００１】
この発明は、金属製の屋根板を取り付けるときに用いられる屋根板取付け具を固定するのに好適な、新規な屋根板取付け具用補助金具に関する。
【背景技術】
【０００２】
屋根板取付け具には、タイトフレームをはじめ様々な形状のものがあるが、その構成は、大まかに言えば、Ｈ鋼などの下地材上に固定される固定片と、該固定片から立ち上がって屋根板を支える立ち上がり部とを有する構造である。
【０００３】
そして、屋根板取付け具の下地材に対する固定は、一般に、溶接によって行っている。つまり、固定片を下地材に対して溶接する。  
しかし、下地材が木製の場合には、溶接によって固定することができない。
【０００４】
もっとも、タイトフレームなどの屋根板取付け具を固定する下地材が木製であるものはこれまで存在しなかったから、溶接以外の方法だけで固定しなければならないことは無かった。
【０００５】
ところが、木製の梁などを下地材として、この上に金属製の屋根板を取り付けて屋根を構成することが望まれる場合がある。タイトフレームなどの屋根板取付け具を用いた屋根では、屋根板取付け具を下地材上に並べて固定してから、屋根板を順に嵌めてゆけば屋根を形成できるので、簡易迅速に施工できるからである。
【０００６】
また、下地材が金属製のＨ鋼である場合であっても、屋根の勾配が急な場合には、溶接で固定しても充分な固定強度を得られにくい場合がある。すなわち、屋根に勾配をつけるには、一般に、下地材に傾きをつけているが、勾配が急な場合には、固定される屋根板取付け具も大きく傾けられた状態で固定されることになる。この状態では、溶接で固定しても、上からの荷重や下からの吹き上げによる負荷に対して斜めの姿勢で対抗しなければならないため、勾配が急な場合には、充分な固定強度を得にくいことがある。
【０００７】
なお、木製の梁材に金属製の屋根板を直接取り付けるために用いる取付け金物として、下記特許文献１に開示されたものがあるが、これは取付け金物そのものであって、本願発明のような、取付け具用の補助金具ではなく、このような補助具は存在せず、提案されてもいない。
【０００８】
【特許文献１】実公昭４９−２０３３０号公報
【発明の開示】
【発明が解決しようとする課題】
【０００９】
そこでこの発明は、下地材が木製である場合でも屋根板取付け具を強固に固定可能にするとともに、勾配が急な場合でも充分な固定強度を得られるようにする補助金具の提供を主たる課題とする。
【課題を解決するための手段】
【００１０】
そのための手段は、屋根板取付け具の一部に上面側から被さる押え部と、該押え部から延設されて、上記屋根板取付け具を固定する下地材上に固定される固定部とを、金属板を折曲して一体に形成した屋根板取付け具用補助金具であることを特徴とする。
【００１１】
すなわち、屋根板取付け具を下地材の上に乗せてから、屋根板取付け具用補助具を屋根板取付け具に対して上から被せ、押え部で屋根板取付け具の一部を上から押えるとともに、固定部を下地材に固定する。固定部には、貫通孔を開けておけば、ネジ釘や釘等で簡単に固定できる。下地材における貫通孔対応位置に、予め貫通孔を開けておき、ボルトナットで固定することもできる。下地材が金属製の場合には、溶接で固定することもできる。
【００１２】
固定部が下地材に対して固定されると、これと一体の押え部が屋根板取付け具の一部を押え込んで固定する。  
上記固定部は、屋根の勾配方向の両側に設けるとよい。より好ましくは、屋根の勾配方向の両側に突出するように設けるとよい。固定部が２ヶ所設けられることになり、強固な固定状態が得られるとともに、固定作業がしやすい。
【００１３】
また、上記屋根板取付け具の一部は、屋根板取付け具における下端の水平な固定片から斜め上又は垂直に立ち上がる立ち上がり部の基部又はその近傍であるとよい。押え部と固定部とを近づけることができるので、屋根板取付け具用補助金具を小さく形成できる。このため、屋根板取付け具用補助金具自体の強度を高くすることができ、ひいては、固定強度を高めることができる。また、屋根板取付け具用補助金具を安価に製造することが可能になる。さらに、屋根板取付け具の固定片の端を固定することになるので、下地材に対してしっかりと接触していなければならない部分を押え込むことができて、強固な固定状態が得られる。
【００１４】
上記押え部と固定部を連結する側板部に、上記押え部又はこれを形成する部位に対向して屋根板取付け具の一部を挟み込む規制片を設けるもよい。押え部と規制片が、屋根板取付け具の左右方向の移動を規制する。このため、屋根板取付け具用補助金具を、その方向性を違えて多数取り付けずともよく、使用する屋根板取付け具用補助金具の数を抑えることができる。
【００１５】
別の手段は、上記屋根板取付け具用補助金具を用いて構成した屋根構造であることを特徴とする。
【発明の効果】
【００１６】
以上のように、この発明によれば、押え部で屋根板取付け具の一部を押えながら固定部を下地材に固定する。下地材が木製である場合には、ネジ釘や釘等で固定でき、下地材が金属製である場合には、金属用のネジ釘等のほか、溶接で固定でき、固定は簡単である。そして、固定状態においては、押え部と固定部は１枚の金属板からなり一体であるので、それ自体堅固であり、強固な固定状態が得られる。屋根が急勾配で下地材が大きく傾いていても、屋根板取付け具のみを下地材に固定した場合に比して、高い取付け強度を得られる。このため、上からの荷重にも下からの負荷にも強い固定状態を得ることが可能となる。  
しかも、簡素な構成であって、安価に製造でき、また組立ての必要性もないので、取り扱いも容易である。
【００１７】
また、このような屋根板取付け具用補助金具を用いて構成した屋根では、施工が簡単な上に、強度も高い屋根が得られる。
【発明を実施するための最良の形態】
【００１８】
この発明を実施するための一形態を、以下図面を用いて説明する。  
図１は屋根構造を示し、この屋根１１は、下地材１２としての木製の梁材上にタイトフレーム１３を固定し、このタイトフレーム１３上に、吊子１４を介して屋根板１５を取り付けることで形成される。
【００１９】
上記タイトフレーム１３は周知の構成のもので、帯状の金属板をプレス加工して形成される。すなわち、所定長さに形成した金属板の長さ方向の中間部位２箇所に、山形状に立ち上がる立ち上がり部１６を形成して、下端の固定片１７が下地材１２上に接地する構成である。なお、図１に示したタイトフレーム１３は、角ハゼタイプの屋根板１５を取り付けるのに適したタイトフレーム１３を例示している。
【００２０】
上述のように立ち上がり部１６を２箇所に形成するので、上記固定片１７は３箇所に存在するが、各固定片１７には、固定用に予め貫通孔１７ａが形成されている。両側の固定片１７ではその端部側に、中間の固定片１７ではその中間位置に形成されている。
【００２１】
下地材１２に対しての固定では、これらの貫通孔１７ａにネジ釘１８を挿し込んで固定するとともに、図２、図３に示したような、屋根板取付け具用補助金具２１（以下、補助金具という）を使用する。
【００２２】
この補助金具２１は、タイトフレーム１３の固定片１７と立ち上がり部１６との間に被せるようにして下地材１２に固定し、タイトフレーム１３の位置決めをし、強固な固定状態を得るものであって、１枚の金属板をプレス加工して形成される。
【００２３】
上記立ち上がり部１６は斜めに立ち上がるので、補助金具２１は、その立ち上がり部１６の基部とその近傍に上面側から被さる長方形板状の押え部２２と、該押え部２２の両側から下方にかけて延設される三角形板状の側板部２３と、該側板部２３の下端から、屋根の勾配方向の両側に水平に突出するように形成された台形板状の固定部２４とを有する。
【００２４】
上記押え部２２は、立ち上がり部１６の基部の傾斜角度よりも若干緩い角度にその傾斜角度を設定され、上下の両端が立ち上がり部１６と固定片１７とにそれぞれ当接するように構成されている。すなわち、図４に示したように、押え部２２の上端部が立ち上がり部１６に上面側から接し、下端部が固定片１７に上面側から接するように形成している。
【００２５】
上記側板部２３のうちの一方、図示例では、屋根勾配方向の上側に位置する側板部２３には、その上端部に、切り起しにより規制片２５を形成する。この規制片２５は、上記押え部２２と対向して、タイトフレーム１３の立ち上がり部１６の基部を挟み込むもので、挟み込み可能な隙間を打ち抜いて折曲され、平面視三角形状に形成されている。規制片２５は、両側の側板部２３のうち一方のみに形成しているので、タイトフレーム１３に対する組み付けは容易に行える。
【００２６】
上記側板部２３と固定部２４とには、これらを跨るように補強用のリブ２６を形成し、強度の向上を図っている。
【００２７】
また、固定部２４には、ネジ釘１８を挿し込めるようにする貫通孔２７を形成している。貫通孔２７は、皿ネジの頭部を収納可能にすべく、テーパ状の内周面を有する形に形成するもよい。
【００２８】
なお、上記２枚の固定部２４のほかに、図５に示したように、押え部２２の下端から、タイトフレーム１３の固定片１７上に重合する重合片２８を延設するもよい。この場合には、ネジ釘を挿し込めるようにする貫通孔２８を形成しておくとよい。
【００２９】
このように構成した補助金具２１は、規制片２５をタイトフレーム１３の立ち上がり部１６の基部に引っ掛けるようにして取り付けて、固定部２４を下地材１２に押し付けるようにしてネジ釘１８で止めればよい。
【００３０】
また、この補助金具２１は、上述の如く立ち上がり部１６が２個のタイトフレーム１３は、図１に示したように、各立ち上がり部１６の左右方向同一側の、一方の基部に固定すれば足りる。上記規制片２５が、タイトフレーム１３の左右方向での位置を規制するからである。
【００３１】
補助金具２１を用いてタイトフレーム１３を固定した後は、吊子１４を利用して屋根板１５を順に取り付けてゆけば、簡単な施工で、強度の高い屋根１１が得られる。
【００３２】
上述のようにして固定されたタイトフレーム１３は、補助金具２１の固定部２４が下地材１２に対して固定されることで、これと一体の押え部２２がタイトフレーム１３の一部を押え込むので、タイトフレーム１３の固定片１７をネジ釘１８のみで固定した場合に比して、格段に強い固定状態を得ることができる。つまり、固定片１７のみをネジ釘１８で固定した場合には、下地材１２が勾配に対応して傾いており、特にそれが急であるときには、ネジ釘１８に傾きの力が作用して固定状態の早期劣化が考えられるが、補助金具２１を用いることで負荷を分散できるので、そのような難点を解消できる。このため、上からの荷重にも下からの負荷にも強い固定状態を得ることが可能となる。
【００３３】
また、補助金具２１は、１枚の金属板からなり一体であるので、それ自体堅固であり、このことからも強固な固定状態が得られる。しかも、簡素な構成であって、安価に製造でき、また組立ての必要性もないので、取り扱いも容易である。
【００３４】
さらに、補助金具２１は、２個ある立ち上がり部１６の左右方向同一側の、一方の基部に固定するので、タイトフレーム１３と屋根板１５との間の隙間が狭い組み合わせであっても使用できる。つまり、補助金具２１以外は全て既存のタイトフレーム１３や吊子１４、屋根板１５を使用でき、屋根１１を安価に形成できるという効果も達成できる。
【００３５】
さらにまた、図６に示したように、下地材１２がＨ型鋼など金属からなる場合には、タイトフレーム１３を固定する際の補強用として、補助金具２１を溶接によって固定することができる。固定部２４の貫通孔２７は、図示の如くヘクス等のネジ釘１８の挿し込み用とするも、溶接用とするもよい。この場合には特に、屋根１１が急勾配で、下地材１２大きく傾いている場合に固定強度を高めるのに好適である。
【００３６】
以下に、この発明を実施するための他の形態を説明する。なお、先の説明と同一又は類似の構成部分については、可能な限り同一の符号を付して、その詳しい説明を省略する。
【００３７】
図７は、丸ハゼタイプの屋根板１５を取り付けるのに適したタイトフレーム１３からなる屋根構造を示し、この屋根１１も、下地材１２としての木製の梁材上にタイトフレーム１３を固定し、このタイトフレーム１３上に、吊子１４を介して屋根板１５を取り付けることで形成される。図中２９は、上記吊子１４を取付け、また屋根板１５を受けるための受け金具である。
【００３８】
上記タイトフレーム１３も周知の構成のもので、帯状の金属板をプレス加工して形成される。すなわち、所定長さに形成した金属板の長さ方向の中間部位２箇所に、山形状に立ち上がる立ち上がり部１６を形成して、下端の固定片１７が下地材１２上に接地する構成である。
【００３９】
ただし、立ち上がり部１６は、上述例のタイトフレームの場合とは異なり、傾いて立ち上がる部分と垂直に立ち上がる部分とを有する。立ち上がり部１６は、いわば直角三角形の山形状に立ち上がる。
【００４０】
図７に示したように、上記立ち上がり部１６のうちの垂直に立ち上がる部分の基部に、補助金具３１を取り付ける。
【００４１】
補助金具３１は、図８に示したように、立ち上がり部１６の垂直な基部に重合し、タイトフレーム１３の固定片１７に対して上から接する押え部３２ａを下端に有する押え板３２、該押え板３２の両側から押え板３２とは直角をなす方向に延設される側板部３３と、該側板部３３の下端から、屋根１１の勾配方向の両側に水平に突出するように形成された方形板状の固定部３４とを有する。図中、３６は、補強用のリブ、３７はネジ釘を挿し込み可能にする貫通孔である。
【００４２】
上記押え片３２の下端（押え部３２ａ）には、タイトフレーム１３の立ち上がり部１６における基部の形状に対応させるべく、リブ１３ａを収容するぬすみ３２ｂを形成して、図９に示した如く、タイトフレーム１３を上から押さえ込めるようにしている。
【００４３】
上記側板部３３のうちの一方、図示例では、屋根勾配方向の上側に位置する側板部３３には、その上端部に、切り起しにより規制片３５を形成する。この規制片３５は、上記押え板３２と対向して、タイトフレーム１３の立ち上がり部１６の基部を挟み込むもので、挟み込み可能な隙間を打ち抜いて折曲され、形成されている。この場合も規制片３５は、両側の側板部３３のうち一方のみに形成しているので、タイトフレーム１３に対する組み付けは容易に行える。
【００４４】
なお、この場合も上記２枚の固定部３４のほかに、図１０に示したように、押え部３２ａから、タイトフレーム１３の固定片１７上に重合する重合片３８を延設するもよい。この場合には、ネジ釘を挿し込める貫通孔３８ａを形成しておくのが好ましい。
【００４５】
図１１はタイトフレーム１３の立ち上がり部１６に対して内側から取り付けるように構成した補助金具４１を示す斜視図で、この補助金具４１は、タイトフレーム１３の固定片１７から斜めに立ち上がる立ち上がり部１６に取り付けるものである。
【００４６】
すなわち、図１２に示した如く、立ち上がり部１６の基部空間を埋めるべく形成された、側面視山形三角形状に折れ曲がる本体部４２を設け、該本体部４２の一方の片における屋根勾配方向の一方側の縁に、立ち上がり部１６の基部に上面側から被さる押え部４３を一体形成するとともに、上記本体部４２の他方の片における下端から、左右方向外方へに突出する固定板４４を一体形成している。固定板４４における屋根勾配方向の両側は、タイトフレーム１３よりも屋根勾配方向の両側に突出する固定部４４ａに設定して、ネジ釘を挿し込み可能にする貫通孔４４ｂを形成している。  
図中、４５は、補強用のリブである。
【００４７】
このように構成した補助金具４１では、押え部４３を立ち上がり部１６の基部に屋根勾配方向の一方側から引っ掛けるようにして取付け、固定板４４の両固定部４４ａを下地材１２に対して固定して、使用する。この補助金具４１を用いての固定状態では、上述のほか、特に本体部４２と押え部４３とが立ち上がり部１６を左右方向に挟むので、上記規制片２５，３５を形成したのと同じ作用効果を達成できる。
【００４８】
図１３は、上記押え部４３を屋根勾配方向の両側に形成した例を示し、押え部４３を、本体部４２の一方の片における対角位置に形成している。すなわち、本体部４２における押え部４３を形成した片をタイトフレーム１３の立ち上がり部１６に対して斜めに傾けて重ね合わせた後、上記片をタイトフレーム１３の立ち上がり部１６に沿わせれば、図１３に示した如くに、２個の押え部４３で押さえ込み、また挟み込むことができるようになり、屋根勾配方向での位置ずれや左右方向での位置ずれを積極的に防止できる。
【００４９】
なお、タイトフレーム１３は、斜めの立ち上がり部１６があればタイトフレーム１３が角ハゼ用であるも、丸ハゼ用であるも関係なく使用できる。
【００５０】
図１４もタイトフレーム１３の立ち上がり部１６に対して内側から取り付けるように構成した補助金具５１を示す斜視図で、この補助金具５１は、タイトフレーム１３の固定片１７から垂直に立ち上がる立ち上がり部１６に取り付けるものである。
【００５１】
すなわち、立ち上がり部１６の基部に沿う垂直な本体部５２を設け、該本体部５２における屋根勾配方向の一方側の縁に、図１５に示した如く、立ち上がり部１６の基部を抱え込むべく全体として横断面コ字状になる押え板５３を一体形成するとともに、上記本体部５２の下端から、反押え板５３側に突出する固定板５４を一体形成している。上記押え板５３の下端が、タイトフレーム１３における立ち上がり部１６の基部近傍の固定片１７に上面側から被さる押え部５３ａである。また、固定板５４における屋根の勾配方向の両側は、タイトフレーム１３よりも屋根の勾配方向の両側に突出する固定部５４ａに設定して、ネジ釘を挿し込み可能とする貫通孔５４ｂを形成している。  
図中、５５は、補強用のリブである。
【００５２】
このように構成した補助金具５１では、押え板５３を立ち上がり部１６の基部に屋根勾配方向の一方側から引っ掛けるようにして取付け、固定板５４の両固定部５４ａを下地材１２に対して固定して、使用する。
【００５３】
この補助金具５１の場合も、上述した図１３の補助金具４１に類似した構成とするとよい。すなわち、押え板５３を本体部における対角位置に形成して、本体部５２をタイトフレーム１３の基部に対して斜めに傾けて重ね合わせた後、本体部５２をタイトフレーム１３の立ち上がり部１６に沿わせれば、２個の押え板５３で挟み込むことができるようになり、屋根勾配方向での位置ずれを積極的に防止できる。この場合、押え部５３ａは、下側に位置する押え板５３の下端である。
【００５４】
図１６、図１７は補助金具のさらなる他の形態を示し、押え部をタイトフレーム１３立ち上がり部１６の頂部近傍に位置するように形成している。すなわち、図１６は、角ハゼ用タイトフレーム１３に適応する補助金具６１で、角ハゼ用タイトフレーム１３は、立ち上がり部１６の頂部１６ａに上へ向けて突出したボルト１６ｂに吊子１４を取り付けて使用するものであるが、補助金具６１は、上記吊子１４を固定すると吊子１４の下に挟み込まれる押え部６２を中間部に設け、該押え部６２の両側、すなわち屋根勾配方向の両側に、下地材１２まで伸びる垂下片６３を設け、該垂下片６３の下端から屋根勾配方向の両側に突出する固定部６４を設けた構成である。  
上記押え部６２には、吊子固定用のボルト１６ｂを挿通する貫通孔６２ａを設け、固定片６４には、ネジ釘を挿し込み可能にする貫通孔６４ａを設けている。
【００５５】
図１７は、丸ハゼ用タイトフレーム１３に適応する補助金具７１で、丸ハゼ用タイトフレーム１３は、立ち上がり部１６の頂部１６ａに左右方向外側へ向けて突出したボルト１６ｂに吊子１４を取り付けて使用するものであるが、補助金具７１は、タイトフレーム１３の略直角三角形状の山形をなす立ち上がり部１６内に納まる形状で、ボルト１６ｂを取り付ける部位に内側から当接する垂直な押え板７２を中間部に設け、該押え板７２の両側、すなわち屋根勾配方向の両側に、下地材１２まで伸びる垂下片７３を設け、該垂下片７３の下端から屋根勾配方向の両側に突出する固定部７４を設けた構成である。
【００５６】
上記押え板７２には、吊子固定用のボルト１６ｂを挿通する透孔７２ａを設けるとともに、ボルト１６ｂを固定し回り止めをする規制部７２ｂを切り起し形成している。上記透孔７２ａの上端部が、タイトフレーム１３の一部であるボルト１６ｂに上面側から被さる押え部７２ｃである。また、固定片７４には、ネジ釘を固定可能にする貫通孔７４ａを設けている。
【００５７】
これらの補助金具６１，７１を用いた場合でも、上述の如く強固な固定状態をえられる。特に、立ち上がり部１６の頂部１６ａ近傍に押え部６２，７２ｃの位置を設定しているので、既存の貫通孔１７ａを用いての固定片１７位置での固定に加えて、立ち上がり部１６位置でも固定できるので、タイトフレーム１３の長さ方向の全体にわたって均等に固定することができ、より良好な固定状態がえられる。上記補助金具２１，３１，４１，５１を適宜組み合わせて使用すると、よりよい固定状態がえられる。
【００５８】
また、補助金具６１，７１は、立ち上がり部１６に固定するので、取り付けた時にタイトフレーム１３と屋根板１５との間の隙間が狭い場合であって、何ら問題なく使用できる。
【００５９】
この発明の構成と、上記一形態の構成との対応において、  
この発明の屋根板取付け具は、上記タイトフレームに対応するも、  
この発明は、上記一形態の構成のみに限定されるものではなく、様々な形態を採用できる。
【００６０】
例えば、タイトフレームは、立ち上がり部が１個のものであるもよく、また、タイトフレームではない、その他の構成の屋根板取付け具であるもよい。溶接で固定するだけよりも、より強固な固定状態を得ることができるので、急勾配の下地材に対して固定する場合に、絶大な効果を発揮する。
【００６１】
また、上記例の補助金具２１，３１，４１，５１，６１，７１は、適宜組み合わせて使用すると、よりよい固定状態が得られる。
【図面の簡単な説明】
【００６２】
【図１】屋根構造を示す正面図。
【図２】要部の斜視図。
【図３】屋根板取付け具用補助具の斜視図。
【図４】作用状態の断面図。
【図５】他の例に係る尾根板取付け具用補助具の斜視図。
【図６】屋根板取付け具用補助具の使用状態の斜視図。
【図７】他の例に係る屋根構造を示す正面図。
【図８】他の例に係る屋根板取付け具用補助具の斜視図。
【図９】他の例に係る屋根板取付け具用補助具の作用状態の断面図。
【図１０】他の例に係る屋根板取付け具用補助具の斜視図。
【図１１】他の例に係る屋根板取付け具用補助具の斜視図。
【図１２】他の例に係る屋根板取付け具用補助具の作用状態の断面図。
【図１３】他の例に係る屋根板取付け具用補助具の斜視図。
【図１４】他の例に係る屋根板取付け具用補助具の斜視図。
【図１５】他の例に係る屋根板取付け具用補助具の作用状態の側面図。
【図１６】他の例に係る屋根構造を示す正面図。
【図１７】他の例に係る屋根構造を示す正面図。
【符号の説明】
【００６３】
１１…屋根
１２…下地材
１３…タイトフレーム
１６…立ち上がり部
１７…固定片
２１…屋根板取付け具用補助具
２２…押え部
２３…側板部
２４…固定部
２５…規制片
３１…屋根板取付け具用補助具
３２ａ…押え部
３３…側板部
３４…固定部
３５…規制片
４１…屋根板取付け具用補助金具
４３…押え部
４４ａ…固定部
５１…屋根板取付け具用補助金具
５３ａ…押え部
５４ａ…固定部
６１…屋根板取付け具用補助金具
６２…押え部
６４…固定部
７１…屋根板取付け具用補助具
７２ｃ…押え部
７４…固定部
【図１】
2006057274.tif 000003
【図２】
2006057274.tif 000004
【図３】
2006057274.tif 000005
【図４】
2006057274.tif 000006
【図５】
2006057274.tif 000007
【図６】
2006057274.tif 000008
【図７】
2006057274.tif 000009
【図８】
2006057274.tif 000010
【図９】
2006057274.tif 000011
【図１０】
2006057274.tif 000012
【図１１】
2006057274.tif 000013
【図１２】
2006057274.tif 000014
【図１３】
2006057274.tif 000015
【図１４】
2006057274.tif 000016
【図１５】
2006057274.tif 000017
【図１６】
2006057274.tif 000018
【図１７】
2006057274.tif 000019